(57)【要約】      （修正有）【課題】各入力チャンネルに入力する信号を結線および面倒な設定を行うことなく簡易に設定できるようにする。【解決手段】入力チャンネル３１−１は、入力パッチ３０でパッチされた５つの入力ポートのいずれか１つを選択できるソースセレクタ３１ａ−１を備えている。ソースセレクタ３１ａ−１は、可動接点ａ１を５つの固定接点ｂ１，ｃ１，ｄ１，ｅ１，ｆ１のいずれかに切り換えることにより、５つの入力ポートのいずれか１つを選択している。他のソースセレクタ３１ａ−Ｎの構成も、ソースセレクタ３１ａ−１と同様とされており、ソースセレクタ３１ａ−１〜３１ａ−Ｎによる選択の切り換えは全入力チャンネル３１−１〜３１−Ｎにおいて一括して行われる。【選択図】図３
2011172141.tif 000002
【特許請求の範囲】
【請求項１】
入力された複数のソースを選択的に複数の入力チャンネルのそれぞれにパッチしている入力パッチと、
供給されたソースに対して信号処理を施す信号処理手段を有する複数の前記入力チャンネルからなり、前記入力パッチでは前記入力チャンネル毎に２以上のソースがパッチされており、パッチされた２以上のソースの内のいずれかのソースを前記入力チャンネル毎に選択するように、全ての前記入力チャンネルにおいて一括して切り換えるソースセレクタを有し、該ソースセレクタにより選択されたソースがそれぞれ前記各入力チャンネルに供給される入力チャンネル部と、
該入力チャンネル部から出力される信号を混合して、それぞれ混合出力を出力する複数本の混合バスと、
該混合バスから出力される混合出力がそれぞれ供給される複数の出力チャンネルからなる出力チャンネル部と、
を備えることを特徴とするミキサー。
【請求項２】
前記ソースセレクタの切り換えに応じて前記各入力チャンネル毎に選択されるソースを示すソース情報であって、シーンに設定されたソース情報が、当該シーンのシーン情報に含まれていることを特徴とする請求項１記載のミキサー。
【請求項３】
前記ソースセレクタの切換状態毎のソース情報には、番号が順に付されており、切り換えられた前記ソースセレクタの切換状態に対応する前記ソース情報において、ソースが選択されていない入力チャンネルにおいては、前記ソース情報を使用するか、当該入力チャンネルにソースが選択されている番号が一番若いソース情報を使用するか、当該入力チャンネルにソースが選択されている一番優先順位の高いソース情報を使用するかが、予め設定されていることを特徴とする請求項２記載のミキサー。
【発明の詳細な説明】
【技術分野】
【０００１】
この発明は、各入力チャンネル毎に複数の入力信号を指定できるようにしたミキサーに関する。
【背景技術】
【０００２】
従来、ステージ等に配置された多数のマイクロホンや電気・電子楽器などから出力されるオーディオ信号のレベルや周波数特性を調整してミキシングし、パワーアンプに送り出すコンサートホール等で使用されるミキサーが知られている。ミキサーを操作するオペレータは、楽器音や歌唱音の各オーディオ信号の音量や音色を、ミキサーに設けられている各種操作子を操作することにより、演奏を最もふさわしく表現していると思われる状態に調整している。ミキサーは、入力チャンネルからの音響信号をミキシングするバスと、ミキシングされた音響信号を出力する出力チャンネルを備えている。各入力チャンネルはそれぞれ入力される音響信号の周波数特性やミキシングレベル等を制御して各ミキシングバスに出力し、各ミキシングバスは入力された音響信号をミキシングして対応する出力チャンネルに出力する。出力チャンネルからの出力は増幅されてスピーカ等から放音される。
【０００３】
従来のミキサー１００の構成例を図９に示す。図９に示すミキサー１００は、ミキサー１００におけるミックス操作、シーンメモリー／ライブラリー操作、各種設定の変更などを行うコンソール１１０と、オーディオ信号の入出力、ミックス、エフェクトなどのオーディオ信号処理を行うＤＳＰユニットを備える２台のエンジンＡおよびエンジンＢと、マイク等からアナログオーディオ信号が入力され変換されたディジタルオーディオ信号をエンジンＡおよびエンジンＢに出力する２台のInput Box(AD)１１１およびInput Box(AD)１１２とから構成されている。図９に示すミキサー１００はミラーモードの接続形態とされており、コンソール１１０のエンジンＡ端子とエンジンＡのコンソール端子、コンソール１１０のエンジンＢ端子とエンジンＢのコンソール端子とが接続されていると共に、Input Box(AD)１１１およびInput Box(AD)１１２のディジタルオーディオ信号の出力端子が、エンジンＡおよびエンジンＢのディジタルオーディオ信号の入力端子にそれぞれ接続されている。
【０００４】
このミラーモードにおいては、Input Box(AD)１１１およびInput Box(AD)１１２に同じアナログオーディオ信号を入力した場合には、エンジンＡあるいはエンジンＢのいずれかに障害が発生しても、障害の発生していない側のエンジンを使用することにより、ミキサー１００に正常な動作を継続させることができる。また、Input Box(AD)１１１およびInput Box(AD)１１２に異なるアナログオーディオ信号を入力して、エンジンＡとエンジンＢとを切り換えながら使用することができる。例えば、コンサートにおいて奇数番目の演奏曲のシーンをエンジンＡに設定すると共に、偶数番目の演奏曲のシーンをエンジンＢに設定するようにする。そして、奇数番目の演奏曲になる際に、エンジンＡにInput Box(AD)１１１およびInput Box(AD)１１２からのディジタルオーディオ信号を入力するよう接続し、偶数番目の演奏曲になる際に、エンジンＢにInput Box(AD)１１１およびInput Box(AD)１１２からのディジタルオーディオ信号を入力するよう接続する。この場合、接続は物理的に切り換えて接続する。
【先行技術文献】
【非特許文献】
【０００５】
【非特許文献１】ヤマハ株式会社  CS1D CONTROL SURFACE取扱説明書，P.10-13, [online], ［平成２１年１２月１６日検索］，インターネット<URL:http://www2.yamaha.co.jp/manual/pdf/pa/japan/mixers/cs1d_ja_om_r21.pdf>
【発明の概要】
【発明が解決しようとする課題】
【０００６】
このように従来のミキサーにおいては、ハードウェアの接続によりエンジンＡおよびエンジンＢを管理し、障害が発生した際にはソフトウェアで一括切換を行うようにしていることから、ハードウェアレベルでの接続になるため、結線および設定の変更が面倒になるという問題点があった。また、エンジンＡおよびエンジンＢに順番に演奏される演奏曲のシーンを交互に設定する場合においても同様に、ハードウェアレベルでの接続になるため、結線および設定の変更が面倒になるという問題点があった。
そこで、本発明は各入力チャンネルに入力する信号を結線および面倒な設定を行うことなく簡易に設定することができるミキサーを提供することを目的としている。
【課題を解決するための手段】
【０００７】
上記目的を達成するために、本発明のミキサーは、入力された複数のソースを選択的に複数の入力チャンネルのそれぞれにパッチしている入力パッチと、供給されたソースに対して信号処理を施す信号処理手段を有する複数の前記入力チャンネルからなり、前記入力パッチでは前記入力チャンネル毎に２以上のソースがパッチされており、パッチされた２以上のソースの内のいずれかのソースを前記入力チャンネル毎に選択するように、全ての前記入力チャンネルにおいて一括して切り換えるソースセレクタを有し、該ソースセレクタにより選択されたソースがそれぞれ前記各入力チャンネルに供給される入力チャンネル部と、該入力チャンネル部から出力される信号を混合して、それぞれ混合出力を出力する複数本の混合バスと、該混合バスから出力される混合出力がそれぞれ供給される複数の出力チャンネルからなる出力チャンネル部とを備えることを最も主要な特徴としている。
【発明の効果】
【０００８】
本発明によれば、パッチされた２以上のソースの内のいずれかのソースを入力チャンネル毎に選択するように切り換えるソースセレクタを有していることから、各入力チャンネルに入力する信号を結線および面倒な設定を行うことなく簡易に設定することができるようになる。
【図面の簡単な説明】
【０００９】
【図１】本発明の実施例にかかるミキサーの構成を示すブロック図である。
【図２】本発明にかかるミキサーの等価的なハードウェア構成を示す図である。
【図３】本発明にかかるミキサーの等価的なハードウェア構成の一部を詳細に示す図である。
【図４】本発明のミキサーにおけるソースセレクタに関するパッチ情報を示す図である。
【図５】本発明のミキサーにおけるシーン情報のデータ構造を示す図である。
【図６】本発明のミキサーにおけるソースセレクタに関する他のパッチ情報を示す図である。
【図７】本発明のミキサーの表示器に表示されるソースセレクタ設定画面を示す図である。
【図８】従来のミキサーの構成例を示す図である。
【発明を実施するための形態】
【００１０】
本発明の実施例にかかるミキサーの構成を示すブロック図を図１に示す。
図１に示すミキサー１は、ＣＰＵ（Central Processing Unit）１０が管理プログラム（ＯＳ：Operating System）を実行しており、ミキサー１の全体の動作をＯＳ上で制御している。ミキサー１は、ＣＰＵ１０が実行するミキシング制御プログラム等の動作ソフトウェアが格納されている不揮発性のＲＯＭ（Read Only Member）１１と、ＣＰＵ１０のワークエリアや各種データ等が記憶されるＲＡＭ（Random Access Memory）１２を備えている。ＣＰＵ１０は、ミキシング制御プログラムを実行することにより、入力された複数の音響信号に音響信号処理をＤＳＰ（ディジタル信号処理装置：Digital Signal Processor）２０により施して混合処理を行っている。なお、ＲＯＭ１１をフラッシュメモリ等の書き換え可能なＲＯＭとすることで、動作ソフトウェアの書き換えを可能とすることができ、動作ソフトウェアのバージョンアップを容易に行うことができる。ＤＳＰ２０はＣＰＵ１０の制御の基で、入力された音響信号の音量レベルや周波数特性を設定されたパラメータに基づいて調整してミキシングし、音量、パン、効果などの音響特性をそのパラメータに基づいて制御するディジタル信号処理を行っている。エフェクタ（ＥＦＸ）１９はＣＰＵ１０の制御の基で、ミキシングされたオーディオ信号にリバーブ、エコーやコーラス等のエフェクトを付加している。
【００１１】
表示ＩＦ１３は、液晶等のディスプレイからなる表示部１４にミキシングに関する種々の画面を表示させる表示インタフェースである。検出ＩＦ１５は、ミキサー１のパネルに設けられているフェーダ、ノブやスイッチ等の操作子１６をスキャンして、操作子１６に対する操作を検出しており、検出された操作信号に基づいて音響信号処理に用いるパラメータの値を変更することができる。通信ＩＦ１７は、通信Ｉ／Ｏ１８を介して外部機器と通信を行うための通信インタフェースであり、イーサネット（登録商標）などのネットワーク用のインタフェースとされる。ＣＰＵ１０、ＲＯＭ１１、ＲＡＭ１２、表示ＩＦ１３、検出ＩＦ１５、通信ＩＦ１７、ＥＦＸ１９、ＤＳＰ２０は通信バス２１を介してデータ等の授受を行っている。
【００１２】
ＥＦＸ１９およびＤＳＰ２０は音声バス２５を介してＡＤ２２、ＤＡ２３、ＤＤ２４とデータ等の授受を行っている。ＡＤ２２は、ミキサー１にアナログ信号を入力する複数のアナログ入力ポートであり、ＡＤ２２において入力されたアナログ入力信号はディジタル信号に変換されて音声バス２５に送出される。ＤＡ２３は、ミキサー１からミキシングされた混合信号を外部へ出力する複数のアナログ出力ポートであり、ＤＡ２３において音声バス２５を介して受け取ったディジタル出力信号はアナログ信号に変換されて、会場やステージに配置されたスピーカから出力される。ＤＤ２４は、ミキサー１にディジタル信号を入力すると共に、外部にミキシングされたディジタル信号を出力する複数のディジタル入力／出力ポートであり、ＤＤ２４において入力されたディジタル入力信号は音声バス２５に送出され、音声バス２５を介して受け取ったディジタル出力信号はディジタルレコーダ等に出力される。なお、ＡＤ２２およびＤＤ２４から音声バス２５へ送出されたディジタル信号はＤＳＰ２０が受け取って上記したディジタル信号処理が施される。また、ＤＳＰ２０から音声バス２５に送出されたミキシングされたディジタル信号はＤＡ２３あるいはＤＤ２４が受け取るようになる。
【００１３】
次に、ミキサー１の等価的なハードウェア構成を示すブロック図を図２に示す。
図２において、複数のアナログ入力ポート（ＡＤ２２）に入力された複数のアナログ信号はディジタル信号に変換されて入力パッチ（Input Patch）３０に入力される。また、複数のディジタル入力ポート（ＤＤ２４）に入力された複数のディジタル信号は、そのまま入力パッチ３０に入力される。入力パッチ３０では、信号の入力元である多数の入力ポートの内の複数の入力ポートを、Ｎチャンネル（Ｎは１以上の整数）とされる入力チャンネル部３１の各入力チャンネル（Input Channel）３１−１，３１−２，３１−３，・・・・，３１−Ｎに選択的にパッチ（結線）している。各入力チャンネル３１−１〜３１−Ｎには、入力パッチ３０でパッチされた複数の入力ポートの内の１つの入力ポートを選択するソースセレクタ３１ａ−１，３１ａ−２，３１ａ−３，・・・・，３１ａ−Ｎが設けられている。各入力チャンネル３１−１〜３１−Ｎでは、ソースセレクタ３１ａ−１〜３１ａ−Ｎにより各入力チャンネルにおいて選択された音響信号In.1,In.2,In.3,・・・,In.Nの特性等が調整される。
【００１４】
すなわち、入力チャンネル部３１における各入力チャンネル３１−１〜３１−Ｎにおける各入力チャンネル信号は、入力チャンネル毎にイコライザやコンプレッサにより音響信号の特性が調整されると共に送り出しレベルが制御されてＭ本（Ｍは１以上の整数）の混合バス（Mix Bus）３５およびＬ，Ｒのステレオのキューバス（Cue Bus）３６へ送出される。この場合、入力チャンネル部３１から出力されるＮ入力チャンネル信号は、Ｍ本の混合バス３５の１ないし複数に選択的に出力される。混合バス３５においては、Ｍ本の各バスにおいて、Ｎ入力チャンネルのうちの任意の入力チャンネルから選択的に入力された１ないし複数の入力チャンネル信号が混合されて、合計Ｍ通りの混合出力が出力される。Ｍ本の混合バス３５の各バスからの混合出力は、Ｍチャンネルとされる出力チャンネル部３２の各出力チャンネル（Output Channel）３２−１，３２−２，３２−３，・・・・，３２−Ｍにそれぞれ出力される。各出力チャンネル３２−１〜３２−Ｍでは、イコライザやコンプレッサにより周波数バランス等の音響信号の特性が調整されて、出力チャンネル信号Mix.1,Mix.2,Mix.3,・・・,Mix.Mとして出力され、このＭ出力チャンネル信号Mix.1~Mix.Mは、出力パッチ（Output Patch）３４に出力される。また、Ｌ，Ｒのキューバス（Cue Bus）３６においてはＮ入力チャンネルのうちの任意の入力チャンネルから選択的に入力された１ないし複数の入力チャンネル信号が混合されたキュー／モニタ用の信号がキュー／モニタ部（Cue/Monitor）３３に出力される。キュー／モニタ部３３から出力されるキュー／モニタ出力（Cue/monitor）は出力パッチ３４に出力される。
【００１５】
出力パッチ３４では、出力チャンネル部３２からのＭ出力チャンネル信号Mix.1~Mix.Mおよびキュー／モニタ部３３からのキュー／モニタ出力の何れかを、複数の出力ポート（ＤＡ２３およびＤＤ２４）のいずれかに選択的にパッチ（結線）することができ、各出力ポートには、出力パッチ３４でパッチされた出力チャンネル信号が供給される。ＤＡ２３の出力ポートにおいて、ディジタルの出力チャンネル信号はアナログ出力信号に変換され、アンプにより増幅されて会場に配置された複数のスピーカから放音される。さらに、このアナログ出力信号はステージ上のミュージシャン等が耳に装着するインイヤーモニタに供給されたり、その近傍に置かれたステージモニタスピーカで再生される。また、複数のディジタル出力ポートを備えるディジタル出力ポート部（ＤＤ２４）から出力されるディジタルオーディオ信号は、レコーダや外部接続されたＤＡＴ等に供給されてディジタル録音することができるようにされている。また、キュー／モニタ出力は出力パッチ３４でアサインされたＤＡ２３の出力ポートにおいてアナログ出力信号に変換され、オペレータルームに配置されたモニタ用スピーカやオペレータが装着するヘッドホン等から出力されてオペレータが検聴できるようになる。
このようなミキサー１においては、入力パッチ３０において各入力チャンネル３１−１〜３１−Ｎ毎に選択的にパッチされた複数の入力ポートの内の１つの入力ポートをソースセレクタ３１ａ−１〜３１ａ−Ｎにより各入力チャンネルにおいて選択するようにしたことから、各入力チャンネル３１−１〜３１−Ｎに入力する信号を結線および面倒な設定を行うことなく簡易に設定することができるようになる。
【００１６】
本発明にかかるミキサー１において特徴的な構成とされている入力チャンネル部３１の詳細な構成を図３に示す。
図３には、入力チャンネル部３１における入力チャンネル３１−１および入力チャンネル３１−Ｎの詳細な構成が示されている。入力チャンネル３１−１は、例えば入力パッチ３０により選択的にパッチされた５つの入力ポートのいずれか１つを選択できるソースセレクタ３１ａ−１と、ソースセレクタ３１ａ−１により選択された入力ポートからの入力チャンネル信号In.1が供給される入力チャンネル処理部３１ｂ−１を備えている。入力チャンネル処理部３１ｂ−１は、イコライザやコンプレッサにより入力チャンネル信号In.1の特性を調整すると共に、送り出しレベルを制御して混合バス３５およびステレオのキューバス３６へ選択的に送出している。ソースセレクタ３１ａ−１は、可動接点ａ１を５つの固定接点ｂ１，ｃ１，ｄ１，ｅ１，ｆ１のいずれかに切り換えることにより、５つの入力ポートのいずれか１つを選択している。他のソースセレクタ３１ａ−２〜３１ａ−Ｎの構成も、ソースセレクタ３１ａ−１と同様とされており、各ソースセレクタ３１ａ−２〜３１ａ−Ｎにより選択された各入力チャンネル信号In.2〜In.Nが、入力チャンネル処理部３１ｂ−２〜３１ｂ−Ｎにそれぞれ供給されている。なお、ソースセレクタ３１ａ−１〜３１ａ−Ｎによる選択の切り換えは全入力チャンネル３１−１〜３１−Ｎにおいて一括して行われる。また、ソースセレクタ３１ａ−１〜３１ａ−Ｎは、物理的スイッチでもソフトウェアスイッチでも良い。
【００１７】
一括して切り換えられるソースセレクタ３１ａ−１〜３１ａ−Ｎの切り換えに応じて、各入力チャンネル３１−１〜３１−Ｎ毎に選択されるソース（入力ポート）を、切換毎のソース情報で示すパッチ情報の一例を図４に示す。図４に示すパッチ情報は、入力パッチ３０により入力チャンネル毎にｋの入力ポートがパッチされており、ｋの入力ポートのいずれか１つをソースセレクタ３１ａ−１〜３１ａ−Ｎにより入力チャンネル毎に選択する場合のパッチ情報とされている。
図４に示すパッチ情報において、縦軸のCh.1,Ch.2，・・・Ch.Nは入力チャンネル３１−１〜３１−Ｎであり、横軸のSourse.1,Sourse.2・・・,Sourse.kは、ソースセレクタ３１ａ−１〜３１ａ−Ｎを１番目からｋ番目まで切り換えた際に各入力チャンネル３１−１〜３１−Ｎに入力されるソースを識別するソース情報である。すなわち、Sourse.1〜Sourse.kの各ソース情報は、ソースセレクタ３１ａ−１〜３１ａ−Ｎの各切換状態に対応して各入力チャンネル３１−１〜３１−Ｎに入力されるソースを示しており、各ソース情報には１〜ｋの番号が順に付されている。例えば、ソースセレクタ３１ａ−１〜３１ａ−ＮがSourse.1の切換状態とされた場合は、入力チャンネルCh.1にはSlot1-1のソースが入力され、入力チャンネルCh.2にはSlot2-1のソースが入力され、・・・、入力チャンネルCh.NにはSlot4-1のソースが入力される。
【００１８】
この場合のSlotについて説明すると、ミキサー１は複数のカードスロットを備えており、カードスロットに装着されたカードは８チャンネルを有している。そこで、第１カードスロットに装着されたカードの第１チャンネルをSlot1-1と表し、第２カードスロットに装着されたカードの第１チャンネルをSlot2-1と表している。他のカードスロットにおいても同様とされる。なお、カードの種類としては、ＡＤ変換器を内蔵してアナログ入力−ディジタル出力とされるＡＤ２２を構成するカード、ディジタル入力−ディジタル出力とされるＤＤ２４を構成するカード、ＤＡ変換器を内蔵すしてディジタル入力−アナログ出力とされるるＤＡ２３を構成するカードが用意されている。
このようなミキサー１においては、ソースセレクタ３１ａ−１〜３１ａ−ＮによりSourse.1〜Sourse.kの内の１つのソース情報の切換状態を選択することにより、各入力チャンネル３１−１〜３１−Ｎ毎にソース（入力ポート）が一括して選択されることから、各入力チャンネル３１−１〜３１−Ｎに入力する信号を結線および面倒な設定を行うことなく簡易に設定することができるようになる。
【００１９】
ところで、ミキサー１においては、フェーダ、ノブやスイッチ等の操作子１６の設定状態を示す全パラメータを、シーン情報としてシーンメモリ等にストアすることができる。シーン情報の各々にはシーン番号が付与されてストアされ、シーン番号を指定してリコール操作することにより、指定されたシーン番号のシーン情報が読み出され、そのシーン情報に応じた設定状態がディジタルミキサで再現することができる。これにより、一度設定した会議室、宴会場、ミニシアターや多目的ホールまでの様々なシーンを再現することができるようになる。このシーン情報のデータ構造を図５に示す。
図５に示すシーン情報は、シーン番号、シーン名称、入力ソース、パラメータデータ、・・・を有しており、パラメータデータはミキサー１を構成しているイコライザ、ディレイ等のモジュールＡ、モジュールＢ、・・・の各パラメータを有し、例えば、モジュールＡのパラメータはパラメータＡの値、パラメータＢの値、パラメータＣの値、・・・のパラメータ値から構成されている。そして、入力ソースは、当該シーンにおいて各入力チャンネル３１−１〜３１−Ｎに入力されるソースを示すソース情報とされている。例えば、入力ソースは「Sourse.1」とされている。このように、シーンデータが入力ソースの情報を有しているため、シーン番号を指定してリコール操作することにより、各入力チャンネル３１−１〜３１−Ｎに入力されるソースも、シーンに応じて一括して選択されるようになる。
【００２０】
また、入力チャンネルCh.1 のソースは切り替えたいが、入力チャンネルCh.2 のソースは常に同じものを使用したいという要望があった場合は、Ch.2の全てのソースに同じ入力信号をアサインするように、あらかじめ設定しておかなければならない。しかし、最近のミキサーでは入力チャンネル数が膨大になり、上記のような作業は非常に煩雑になるといえる。そこで、本発明にかかるミキサー１においては、ソースセレクタ３１ａ−１〜３１ａ−Ｎによりセレクトされたソース番号をそのまま使用するか否か、使用しない場合は、どのような態様でソースを選択するかを予め決めておくことができるようにされている。すなわち、図４に示すパッチ情報の表において空欄とされて何も選択されていないソースが選択された場合は、次のいずれかの設定を行うことができる。
（ａ）空欄に該当する入力チャンネルには入力を与えない（何もしない)
（ｂ）空欄に該当する入力チャンネルにソースが選択されているソース情報を、ソース情報の番号が若い順に検索して、ヒットした当該ソース情報に基づいてソースを選択する
（ｃ）空欄に該当する入力チャンネルにおけるソースの優先順位に従ってソースを選択する
【００２１】
そこで、本発明のミキサー１においては、図７に示すソースセレクタ設定画面を表示器１４に表示させて、何も選択されていないソースが選択された時の動作をユーザーに設定させることができる。図７に示すソースセレクタ設定画面では、「セレクトされたソースを使用」（上記（ａ）に相当）、「ソースの番号が若い順に再セレクト」（上記（ｂ）に相当）、「ソースの優先順位に従い再セレクト」（上記（ｃ）に相当）のいずれかをラジオボタンで選択できるようにされている。そして、いずれかのラジオボタンを選択して「ＯＫ」ボタンを操作することにより、その設定状態が確定され、「キャンセル」ボタンを操作した場合は直前の設定状態に戻るようになる。
なお、上記（ｂ）の設定は、一般的にソースは若い番号から順にアサイン(パッチ)するようにされており、番号が若いことは優先順位が高いというルールにして、ソースをパッチしていることを理由としている。この場合、ソースセレクトしない入力チャンネルは、Source.1だけを使用することになる。また、上記（ｃ）の設定で用いる優先順位の付されたパッチ情報の一例を図６に示す。図６に示すパッチ情報においては、Sourse.1〜Sourse.kのソース情報において、入力チャンネルCh.1,Ch.2，・・・Ch.N毎にソースの優先順位が１，２，３，・・・ｋとして各ソースの左欄に付されている。上記（ｃ）の設定状態とされた場合は、ソースセレクトしない入力チャンネルでは優先順位の若い番号順でソースが選択されるようになる。
【産業上の利用可能性】
【００２２】
以上説明した本発明のミキサーにおいて、図２に示すミキサーの等価的なハードウェア構成は、図３，６に示すパッチ情報におけるソース情報の数kが「５」とされてSourse.1〜Sourse.5とされた場合を示している。ただし、本発明はこれに限ることはなく、各入力チャンネルのソースセレクタにおいて選択することのできるソース情報の数kを任意の数とすることができる。
【符号の説明】
【００２３】
１  ミキサー、１０  ＣＰＵ、１１  ＲＯＭ、１２  ＲＡＭ、１３  表示ＩＦ、１４  表示器、１５  検出ＩＦ、１６  操作子、１７  通信ＩＦ、１８  通信Ｉ／Ｏ、１９  ＥＦＸ、２０  ＤＳＰ、２１  通信バス、２２  ＡＤ、２３  ＤＡ、２４  ＤＤ、２５  音声バス、３０  入力パッチ、３１  入力チャンネル部、３１−１〜３１−Ｎ  入力チャンネル、３１ａ−１〜３１ａ−Ｎ  ソースセレクタ、３１ｂ−１〜３１ｂ−Ｎ  入力チャンネル処理部、３２  出力チャンネル部、３２−１〜３２−Ｍ  出力チャンネル、３３  モニタ部、３４  出力パッチ、３５  混合バス、３６  キューバス、１００  ミキサー、１１０  コンソール、１１１，１１２  Input Box(AD)
【図１】
2011172141.tif 000003
【図２】
2011172141.tif 000004
【図３】
2011172141.tif 000005
【図４】
2011172141.tif 000006
【図５】
2011172141.tif 000007
【図６】
2011172141.tif 000008
【図７】
2011172141.tif 000009
【図８】
2011172141.tif 000010